(57)【要約】【課題】  洗車ブラシによる洗浄作業性を向上すること。【解決手段】  回転軸１１の外周の周方向複数位置のそれぞれにブラシ単体２１を取付けてなる洗車ブラシ１０において、ブラシ単体２１を回転軸１１の外周のスパイラル線（スパイラル状取付溝１２）に沿って取付けたもの。【選択図】  図１
2005170221.tif 000002
【特許請求の範囲】
【請求項１】
回転軸の外周の周方向複数位置のそれぞれにブラシ単体を取付けてなる洗車ブラシにおいて、
ブラシ単体を回転軸の外周のスパイラル線に沿って取付けたことを特徴とする洗車ブラシ。
【請求項２】
前記回転軸の外周に並設される多数条のスパイラル線のそれぞれに沿って複数の短尺のブラシ単体をつなぎ合せるに際し、１つのスパイラル線に沿って取付けられるブラシ単体のつなぎ合せ部と、他のスパイラル線に沿って取付けられるブラシ単体のつなぎ合せ部とを、回転軸の軸方向でずらしてなる請求項１に記載の洗車ブラシ。
【請求項３】
前記回転軸の外周に並設される多数条のスパイラル線のそれぞれに沿って該スパイラル線の全長に渡る長尺のブラシ単体を取付けてなる請求項１に記載の洗車ブラシ。
【請求項４】
前記スパイラル線が回転軸の軸方向に対してなす角度を10度以上、45度以下にする請求項１〜３のいずれかに記載の洗車ブラシ。
【発明の詳細な説明】
【技術分野】
【０００１】
本発明は洗車ブラシに関する。
【背景技術】
【０００２】
洗車ブラシとして、特許文献１に記載の如く、回転軸の外周の周方向複数位置のそれぞれに帯状ブラシ単体を取付けてなるものがある。ブラシ単体は、回転軸の軸方向に沿うストレート線に沿って取付けられる。
【特許文献１】実公平2-27773
【発明の開示】
【発明が解決しようとする課題】
【０００３】
特許文献１の洗車ブラシでは、ブラシ単体が回転軸の外周のストレート線に沿って取付けられるため、以下の問題点がある。
【０００４】
(1)ブラシ単体の先端面が、その全幅に渡って一気に車両表面に当たり、ブラシ単体が車両表面を叩く等に起因する洗車騒音が大きい。
【０００５】
(2)ブラシ単体のブラシエッジによる車両表面の汚れ掻き取り効果が低い。
本発明の課題は、洗車ブラシによる洗浄作業性を向上することにある。
【課題を解決するための手段】
【０００６】
請求項１の発明は、回転軸の外周の周方向複数位置のそれぞれにブラシ単体を取付けてなる洗車ブラシにおいて、ブラシ単体を回転軸の外周のスパイラル線に沿って取付けたものである。
【０００７】
請求項２の発明は、請求項１の発明において更に、前記回転軸の多周に並設される多数条のスパイラル線のそれぞれに沿って複数の短尺のブラシ単体をつなぎ合せるに際し、１つのスパイラル線に沿って取付けられるブラシ単体のつなぎ合せ部と、他のスパイラル線に沿って取付けられるブラシ単体のつなぎ合せ部とを、回転軸の軸方向でずらしてなるようにしたものである。
【０００８】
請求項３の発明は、請求項１の発明において更に、前記回転軸の多周に並設される多数条のスパイラル線のそれぞれに沿って該スパイラル線の全長に渡る長尺のブラシ単体を取付けてなるようにしたものである。
【０００９】
請求項４の発明は、請求項１〜３のいずれかの発明において更に、前記スパイラル線が回転軸の軸方向に対してなす角度を10度以上、45度以下にするものである。
【発明の効果】
【００１０】
（請求項１）
(a)ブラシ単体を回転軸の外周のスパイラル線に沿って取付けたから、ブラシ単体が回転軸の中心軸まわりにスパイラル状をなす。これにより、ブラシ単体の先端面が、その幅方向の一端側から他端側に向けて順に車両表面に当たるものになり、ブラシ単体のブラシエッジによる汚れ掻き取り効果が向上する。
【００１１】
(b)ブラシ単体の先端面が一気に車両表面に当たらないことによる洗車騒音静粛効果を得ることができる。
【００１２】
（請求項２）
(c)回転軸上で、１つのスパイラル線に沿って取付けられるブラシ単体のつなぎ合せ部と、他のスパイラル線に沿って取付けられるブラシ単体のつなぎ合せ部とを、回転軸の軸方向でずらした。従って、回転軸の軸方向で、ブラシ単体が途切れて空隙を生ずることがなく、洗車ブラシの全長を均等に洗浄に寄与せしめ、車両表面に洗い残しを生じない。
【００１３】
（請求項３）
(d)ブラシ単体を回転軸の外周のスパイラル線の全長に連続して渡るものにした。従って、回転軸の軸方向で、ブラシ単体が途切れて空隙を生ずることがなく、洗車ブラシの全長を均等に洗浄に寄与せしめ、車両表面に洗い残しを生じない。
【００１４】
（請求項４）
(e)ブラシ単体のスパイラル角が10度未満では、前述(a)、(b)の効果がなく、45度超えでは、回転軸へのブラシ単体の植毛作業が困難になる。
【発明を実施するための最良の形態】
【００１５】
図１は実施例１の洗車ブラシを示す一部破断の正面図、図２は図１のII−II線に沿う断面図、図３は回転軸を示す一部破断の正面図、図４は抜け止めハブを示し、（Ａ）は断面図、（Ｂ）は側面図、図５は実施例２の洗車ブラシを示す正面図、図６は実施例３の洗車ブラシを示す正面図、図７は実施例４の洗車ブラシの要部を示し、（Ａ）は正面図、（Ｂ）は斜視図、図８は実施例５の洗車ブラシの要部を示し（Ａ）は正面図、（Ｂ）は斜視図である。
【実施例】
【００１６】
（実施例１）（図１〜図４）
洗車ブラシ１０は、洗車機のトップブラシ、サイドブラシ等として用いられるものであり、図１に示す如く、アルミ合金等からなる中空回転軸１１の外周に多数のブラシ単体２１を取付けて構成される。ブラシ単体２１は、エチレンビニルアセテート（ＥＶＡ）等のスポンジ状プラスチック、ポリプロピレンやポリエチレン等のプラスチック、布、又は撚り糸状繊維等からなる。本実施形態のブラシ単体２１は、１枚又は２枚以上重ね状にした可撓帯板状をなすが、可撓線棒状をなすものでも良い。
【００１７】
回転軸１１は、図２、図３に示す如く、円筒をなし、外周の周方向複数位置に、狭幅の開口部１３をもち、かつ外周に並設される多数条のスパイラル線に沿って延在するスパイラル状取付溝１２を設けている。取付溝１２は、回転軸１１の両端面に開放しているが、少なくとも一端面に開放していれば良い。取付溝１２の溝面は軸方向に直交する横断面の形状をＵ字状にし、開口部１３は取付溝１２のＵ字状溝面の両端に設けられた、溝内方に突き出る突部１３Ａにより形成される。突部１３Ａは、取付溝１２の溝面の軸方向に直交する横断面で、先端部を丸味状にし、洗浄作業中に突部１３Ａに対して揺れ動くブラシ単体２１を傷付けない。
【００１８】
ブラシ単体２１は、図１、図２に示す如く、２つ折り状にされ、２つ折り部２１Ａにおいて芯材２２を挟み込み、２つ折り部２１Ａの芯材２２を挟む全幅を芯材２２の存在によって取付溝１２の開口部１３の幅より十分に広幅にした状態で、押し込み具により、芯材２２をブラシ単体２１の２つ折り部２１Ａとともに回転軸１１の外周に設けた取付溝１２の開口部１３から回転軸１１の直径方向に押し込み、取付溝１２に挿着する。本実施例では、芯材２２としてアルミパイプを用いるが、芯材２２は中実丸棒、中空丸棒、角棒等を広く採用できる。
【００１９】
回転軸１１において、取付溝１２が開放する両端面には、図１〜図３に示す如く、ブラシ単体２１及び芯材２２のための抜け止めハブ３０が取付けられる。抜け止めハブ３０は、図４に示す如く、環状体からなり、ハブ本体３１に同軸をなす軸３２を有する。
【００２０】
抜け止めハブ３０は、図３に示す如く、回転軸１１の内径に軸３２を差し込み、回転軸１１の端面にハブ本体３１の内側端面を衝合し、ハブ本体３１のボルト挿通孔３１Ａに挿通したボルト１４を回転軸１１の端面に螺着することにより、回転軸１１に固定される。
【００２１】
抜け止めハブ３０は、回転軸１１の端面に衝合される内側端面に環状溝３３を有する。回転軸１１に固定されたハブ３０は、図３に示す如く、回転軸１１の各取付溝１２にブラシ単体２１の２つ折り部２１Ａとともに挿着された芯材２２の端部のそれぞれを環状溝３３に納め、各芯材２２のブラシ単体２１から横方向に突出している端部を回転軸１１の軸方向と半径方向で環状溝３３の溝底面と溝側面に係合可能にし、各芯材２２を取付溝１２から抜け止め可能にする。
【００２２】
洗車ブラシ１０に用いられるブラシ単体２１は、回転軸１１の全長を複数分割した長さＬの短尺状をなす。洗車ブラシ１０は、回転軸１１のスパイラル状取付溝１２の各個に、複数の短尺のブラシ単体２１を互いに突合せ状につなぎ合せる状態に取付ける。
【００２３】
洗車ブラシ１０は、１つのスパイラル状取付溝１２に沿って取付けられるブラシ単体２１、２１のつなぎ合せ部ai（ｉ=1, 2…）と、他のスパイラル状取付溝１２に沿って取付けられるブラシ単体２１、２１のつなぎ合せ部ｂi（ｉ=1, 2…）とを、回転軸１１の軸方向でずらしている。（図１）。
【００２４】
洗車ブラシ１０は、回転軸１１のスパイラル状取付溝１２が、回転軸１１の軸方向に対してなすスパイラル角（図１のα）の好適値を、10度以上、45度以下の範囲とする。
【００２５】
洗車ブラシ１０にあっては、洗車機のブラシ駆動軸に設けられるエンドプレートに挿通されるボルトを、抜け止めハブ３０のハブ本体３１の外側端面に設けたねじ孔３４に螺着することにより、使用に供される。
【００２６】
本実施例によれば以下の作用効果を奏する。
(a)ブラシ単体２１を回転軸１１の外周のスパイラル状取付溝１２に沿って取付けたから、ブラシ単体２１が回転軸１１の中心軸まわりにスパイラル状をなす。これにより、ブラシ単体２１の先端面が、その幅方向の一端側から他端側に向けて順に車両表面に当たるものになり、ブラシ単体２１のブラシエッジによる汚れ掻き取り効果が向上する。
【００２７】
(b)ブラシ単体２１の先端面が一気に車両表面に当たらないことによる洗車騒音静粛効果を得ることができる。
【００２８】
(c)回転軸１１上で、１つのスパイラル状取付溝１２に沿って取付けられるブラシ単体２１のつなぎ合せ部と、他のスパイラル状取付溝１２に沿って取付けられるブラシ単体２１のつなぎ合せ部とを、回転軸１１の軸方向でずらした。従って、回転軸１１の軸方向で、ブラシ単体２１が途切れて空隙を生ずることがなく、洗車ブラシ１０の全長を均等に洗浄に寄与せしめ、車両表面に洗い残しを生じない。
【００２９】
(d)ブラシ単体２１のスパイラル角が10度未満では、前述(a)、(b)の効果がなく、45度超えでは、回転軸１１へのブラシ単体２１の植毛作業が困難になる。
【００３０】
（実施例２）（図５）
実施例２の洗車ブラシ１０が実施例１の洗車ブラシ１０と異なる点は、回転軸１１のスパイラル状取付溝１２の各個に短尺のブラシ単体２１を取付けるに際し、１つのスパイラル状取付溝１２に沿って取付けられるブラシ単体２１、２１のつなぎ合せ部ai（ｉ=1, 2…）と、他のスパイラル状取付溝１２に沿って取付けられるブラシ単体２１、２１のつなぎ合せ部ｂi（ｉ=1, 2…）とを、回転軸１１の軸方向でずらすことなく合致させたことにある。
【００３１】
（実施例３）（図６）
実施例３の洗車ブラシ１０が実施例１の洗車ブラシ１０と異なる点は、回転軸１１のスパイラル状取付溝１２の各個に長尺のブラシ単体２１を取付けたことにある。ブラシ単体２１は、回転軸１１に設けたスパイラル状取付溝１２の全長に渡る長尺をなす。
【００３２】
本実施例によれば、ブラシ単体２１を回転軸１１の外周のスパイラル状取付溝１２の全長に連続して渡るものにした。従って、回転軸１１の軸方向で、ブラシ単体２１が途切れて空隙を生ずることがなく、洗車ブラシ１０の全長を均等に洗浄に寄与せしめ、車両表面に洗い残しを生じない。
【００３３】
（実施例４）（図７）
実施例４の洗車ブラシ４０は、図７に示す如く、洗車機のブラシ駆動軸に取付けられる取付軸４１に、複数の短尺中空回転軸４２を互いに突合せ状に嵌合するものであり、この回転軸４２の外周の周方向複数位置のそれぞれにブラシ単体４３を植設したものである。回転軸４２は、合成樹脂成形体であり、ブラシ単体４３の根元部を一体モールドする。回転軸４２は、取付軸４１に係合するキー４２Ａを備える。ブラシ単体４３は、エチレンビニルアセテート（ＥＶＡ）等のスポンジ状プラスチック、ポリプロピレンやポリエチレン等のプラスチック、布、又は撚り糸状繊維等の可撓帯状体からなる。
【００３４】
洗車ブラシ４０は、回転軸４２の外周に並設される多数条のスパイラル線のそれぞれに沿って複数の短尺のブラシ単体４３をつなぎ合せるように植設する。
【００３５】
洗車ブラシ４０は、１つのスパイラル線に沿って取付けられるブラシ単体４３のつなぎ合せ部ａiと、他のスパイラル線に沿って取付けられるブラシ単体４３のつなぎ合せ部ｂiとを、回転軸４２の軸方向でずらしている。
【００３６】
洗車ブラシ４０は、ブラシ単体４３が植設される回転軸４２上のスパイラル線が、回転軸４２の軸方向に対してなすスパイラル角を10度以上、45度以下にする。
【００３７】
本実施例によれば以下の作用効果を奏する。
(a)ブラシ単体４３を回転軸４２の外周のスパイラル線に沿って取付けたから、ブラシ単体４３が回転軸４２の中心軸まわりにスパイラル状をなす。これにより、ブラシ単体４３の先端面が、その幅方向の一端側から他端側に向けて順に車両表面に当たるものになり、ブラシ単体４３のブラシエッジによる汚れ掻き取り効果が向上する。
【００３８】
(b)ブラシ単体４３の先端面が一気に車両表面に当たらないことによる洗車騒音静粛効果を得ることができる。
【００３９】
(c)回転軸４２上で、１つのスパイラル線に沿って取付けられるブラシ単体４３のつなぎ合せ部と、他のスパイラル線に沿って取付けられるブラシ単体４３のつなぎ合せ部とを、回転軸４２の軸方向でずらした。従って、回転軸４２の軸方向で、ブラシ単体４３が途切れて空隙を生ずることがなく、洗車ブラシの全長を均等に洗浄に寄与せしめ、車両表面に洗い残しを生じない。
【００４０】
(d)ブラシ単体４３のスパイラル角が10度未満では、前述(a)、(b)の効果がなく、45度超えでは、回転軸４２へのブラシ単体４３の植毛作業が困難になる。
【００４１】
（実施例５）（図８）
実施例５の洗車ブラシ５０が実施例４の洗車ブラシ４０と異なる点は、図８に示す如く、洗車機への取付軸５１に単一の長尺中空回転軸５２（キー５２Ａ）を嵌合し、回転軸５２の外周の周方向複数位置のそれぞれに長尺のブラシ単体５３を植設するようにしたことにある。ブラシ単体５３は、回転軸５２の外周に並設される多数条のスパイラル線のそれぞれに沿い、それらのスパイラル線の全長に当たる長尺をなす。
【００４２】
回転軸５２は、合成樹脂成形体であり、ブラシ単体５３の根元部を一体モールドする。ブラシ単体５３は、エチレンビニルアセテート（ＥＶＡ）等のスポンジ状プラスチック、ポリプロピレンやポリエチレン等のプラスチック、布、又は撚り糸状繊維等の可撓帯状体からなる。
【００４３】
本実施例によれば、ブラシ単体５３を回転軸５２の外周のスパイラル線の全長に連続して渡るものにした。従って、回転軸５２の軸方向で、ブラシ単体５３が途切れて空隙を生ずることがなく、洗車ブラシ１０の全長を均等に洗浄に寄与せしめ、車両表面に洗い残しを生じない。
【００４４】
以上、本発明の実施例を図面により詳述したが、本発明の具体的な構成はこの実施例に限られるものではなく、本発明の要旨を逸脱しない範囲の設計の変更等があっても本発明に含まれる。
【図面の簡単な説明】
【００４５】
【図１】図１は実施例１の洗車ブラシを示す一部破断の正面図である。
【図２】図２は図１のII−II線に沿う断面図である。
【図３】図３は回転軸を示す一部破断の正面図である。
【図４】図４は抜け止めハブを示し、（Ａ）は断面図、（Ｂ）は側面図である。
【図５】図５は実施例２の洗車ブラシを示す正面図である。
【図６】図６は実施例３の洗車ブラシを示す正面図である。
【図７】図７は実施例４の洗車ブラシの要部を示し、（Ａ）は正面図、（Ｂ）は斜視図である。
【図８】図８は実施例５の洗車ブラシの要部を示し（Ａ）は正面図、（Ｂ）は斜視図である。
【符号の説明】
【００４６】
１０、４０、５０  洗車ブラシ
１１、４２、５２  回転軸
１２  スパイラル状取付溝
２１、４３、５３  ブラシ単体
【図１】
2005170221.tif 000003
【図２】
2005170221.tif 000004
【図３】
2005170221.tif 000005
【図４】
2005170221.tif 000006
【図５】
2005170221.tif 000007
【図６】
2005170221.tif 000008
【図７】
2005170221.tif 000009
【図８】
2005170221.tif 000010